(57)【要約】【課題】自動開放機構により複数の扉体を自動的に連動して開放し、かつ、扉体の開放速度を扉体開放途中から減速させ扉体開成時の衝撃を緩和することで、使用時の煩わしさを解消し、かつ、高品質な食器洗い機を提供する。【解決手段】洗浄槽２２に設けた開口部を開閉する上扉体２４と下扉体２５をそれぞれ上支持部材２６と下支持部材２７により開閉自在に支持するとともに、連動手段３４により連動させ、スプリング４４により連動して自動的に閉成状態から開成状態まで開放する。上支持部材２６と下支持部材２７がそれぞれ上支持部材収納口３０と下支持部材収納口３１より食器洗い機本体２１から外部に出入りするよう構成し、上支持部材２６、下支持部材２７の少なくとも１つに上扉体２４または下扉体２５の開放途中から開成にかけて上支持部材収納口３０または下支持部材収納口３１と当接するリブ３３を設ける。【選択図】  図１
2004275369.tif 000002
【特許請求の範囲】
【請求項１】
食器洗い機本体と、前記食器洗い機本体内に設けた洗浄槽と、前記洗浄槽に設けた開口部を開閉する複数の扉体と、前記複数の扉体を開閉自在に支持する複数の支持部材と、前記複数の扉体を連動させる連動手段と、前記複数の扉体を連動して自動的に閉成状態から開成状態まで開放する自動開放機構と、前記複数の支持部材が前記食器洗い機本体から外部に出入りする支持部材収納口とを備え、前記支持部材の少なくとも１つに前記扉体の開放途中から開成にかけて支持部材収納口と当接するリブを設けた食器洗い機。
【請求項２】
支持部材に設けた支持部材収納口と当接するリブは、扉体開放時の当接開始位置から扉体閉成方向に高さを徐変するようにした請求項１記載の食器洗い機。
【発明の詳細な説明】
【０００１】
【発明の属する技術分野】
本発明は、洗浄水の噴射により食器等の洗浄を行う食器洗い機に関する。
【０００２】
【従来の技術】
従来、この種の食器洗い機は、図５に示すように構成していた。以下、その構成について説明する。
【０００３】
図５に示すように、扉体１は、扉軸２を中心にして、食器洗い機本体３の下部に開閉自在に取り付けており、食器洗い機本体３の前面開口部を覆うよう構成している。扉体１の上部には開閉する際につかむための把手部４と、スイッチ５により解除されるロック手段６とを設けており、閉成状態で保持できるよう構成している。また、食器洗い機本体３は、内部に洗浄槽７を設けており、この洗浄槽７は、内部に食器かご８を配置している。
【０００４】
食器洗い機の基本的な動作は、一般的によく知られているので、以下に簡単に述べると、使用者がスイッチ５によりロック手段６を解除し、その後、把手部４を持って扉体１を開放し、食器洗い機本体３内の洗浄槽７に設置した食器かご８に汚れた食器類９をセットする。
【０００５】
つぎに、扉体１を閉め、ロック手段６により扉体１を閉成状態に保持し、運転を開始すると、洗浄槽７の底部に配置したヒータによって洗浄水を加熱しながら、洗浄ノズル１０から食器類９に向かって洗浄水を噴射し、食器類９の汚れを落とす洗浄行程を行う。その後、食器類９をすすいだ後、食器類９を乾かす乾燥行程を行って運転が終了する。
【０００６】
また、他の食器洗い機として、図６に示すように、食器洗い機本体１１に設けた２個の扉体１２、１３を上下方向に各々回動して洗浄槽１４の前面開口部を開閉する構成としたものがある。扉体１２、１３を複数に分割することで、上述した１枚扉の食器洗い機より食器洗い機前方の設置スペースを小さくすることができる。さらに、連動手段１５によって、扉体１２、１３を連結しており、扉体１２を持って開放すれば、同時に他方の扉体１３も開放するようになっている（例えば、特許文献１参照）。この食器洗い機も上述した基本動作を行う。
【０００７】
【特許文献１】
特開昭５０−２６３５６号公報（図６）
【０００８】
【発明が解決しようとする課題】
このような従来の構成で、図５に示す構成では、ロック手段６を解除するスイッチ５と扉体１を開くための把手部４が別々となっているため、扉体１を開ける際には、スイッチ５によりロック手段６を解除し、把手部４をつかみ直す必要がある。また、扉体１は閉塞方向に付勢されているため、把手部４を開放終了までつかんで開けなければならなく、煩わしく使い勝手に劣るという問題を有している。
【０００９】
また、図６に示すように、複数の扉体１２、１３を連動手段１５によって回動自在に連結した場合でも、扉体１２、１３の開放に関して１枚扉と同様の問題を有している。
【００１０】
また、上述した煩わしさを解消するために、図７に示すように、扉体１６、１７を連動して自動的に開放するよう引張りコイルばね１８を設けた場合、扉体開放時に下扉支持部材１９がストッパー部２０に当接するときの衝撃による、衝撃音の発生や扉体のリバウンドという問題を有している。
【００１１】
本発明は上記従来の課題を解決するもので、自動開放機構により複数の扉体を自動的に連動して開放し、かつ、扉体の開放速度を扉体開放途中から減速させ扉体開成時の衝撃を緩和することで、使用時の煩わしさを解消し、かつ、高品質な食器洗い機を提供することを目的としている。
【００１２】
【課題を解決するための手段】
本発明は上記目的を達成するために、食器洗い機本体内に洗浄槽を設け、洗浄槽に設けた開口部を複数の扉体により開閉し、複数の扉体を複数の支持部材により開閉自在に支持するとともに、複数の扉体を連動手段により連動させ、自動開放機構により複数の扉体を連動して自動的に閉成状態から開成状態まで開放し、複数の支持部材が支持部材収納口より食器洗い機本体から外部に出入りするよう構成し、支持部材の少なくとも１つに扉体の開放途中から開成にかけて支持部材収納口と当接するリブを設けたものである。
【００１３】
これにより、自動開放機構により複数の扉体を自動的に連動して開放し、かつ、扉体の開放速度を支持部材収納口とリブの摺動抵抗により減速させることで、扉体開成時の衝撃を緩和することができ、使用時の煩わしさを解消することができ、かつ、高品質な食器洗い機を提供することができる。
【００１４】
【発明の実施の形態】
本発明の請求項１に記載の発明は、食器洗い機本体と、前記食器洗い機本体内に設けた洗浄槽と、前記洗浄槽に設けた開口部を開閉する複数の扉体と、前記複数の扉体を開閉自在に支持する複数の支持部材と、前記複数の扉体を連動させる連動手段と、前記複数の扉体を連動して自動的に閉成状態から開成状態まで開放する自動開放機構と、前記複数の支持部材が前記食器洗い機本体から外部に出入りする支持部材収納口とを備え、前記支持部材の少なくとも１つに前記扉体の開放途中から開成にかけて支持部材収納口と当接するリブを設けたものであり、自動開放機構により複数の扉体を自動的に連動して開放し、かつ、扉体の開放速度を支持部材収納口とリブの摺動抵抗により減速させることで、扉体開成時の衝撃を緩和することができ、使用時の煩わしさを解消することができ、かつ、高品質な食器洗い機を提供することができる。
【００１５】
請求項２に記載の発明は、上記請求項１に記載の発明において、支持部材に設けた支持部材収納口と当接するリブは、扉体開放時の当接開始位置から扉体閉成方向に高さを徐変するようにしたものであり、支持部材に設けたリブと支持部材収納口の当接がスムーズに行われるため、扉体の開閉動作がスムーズで、さらに高品質な食器洗い機を提供することができる。
【００１６】
【実施例】
以下、本発明の一実施例について、図面を参照しながら説明する。
【００１７】
図１に示すように、食器洗い機本体２１は、内部に洗浄槽２２を設けており、この洗浄槽２２は、内部に食器かご２３を配置している。洗浄槽２２は、前方に開口部を有し、この開口部は上扉体（扉体）２４と下扉体（扉体）２５とで閉塞されている。上扉体２４は上支持部材（支持部材）２６によって、また、下扉体２５は下支持部材（支持部材）２７によって、それぞれ上固定枢軸２８、下固定枢軸２９で洗浄槽２２の左右両側に回転自在に軸支している。
【００１８】
ここで、上支持部材２６と上固定枢軸２８は、上扉体２４が開成時に食器洗い機本体２１の上方に回動するよう構成しており、下支持部材２７と下固定枢軸２９は、下扉体２５が食器洗い機本体２１の前方へ回動するよう構成している。
【００１９】
また、上支持部材２６と下支持部材２７は、扉体（上扉体２４と下扉体２５）の閉成状態で、食器洗い機本体２１と洗浄槽２２との間に設けた上支持部材収納口（支持部材収納口）３０と、下支持部材収納口（支持部材収納口）３１を通して収納され、扉体の開成状態では、図２に示すように、上支持部材２６は上支持部材収納口３０から完全に露出することなく、一部を上支持部材収納口３０に残している。下支持部材２７も同様である。
【００２０】
また、図３に示すように、上支持部材収納口３０には、樹脂からなる保護部材３２を設け、食器洗い機本体２１と、洗浄槽２２の端部を覆っている。上支持部材２６には扉体の開放途中から開成にかけて保護部材３２と当接するリブ３３を設けている。ここで、図４に示すように、リブ３３は扉体開放時の保護部材３２との当接開始位置から扉体閉成方向に高さが徐変されている。
【００２１】
また、連動手段３４を上連結枢軸３５により上支持部材２６に軸支し、下連結枢軸３６により下支持部材２７に軸支することにより、上支持部材２６と下支持部材２７を連動し、上扉体２４と下扉体２５を連動して開閉するよう構成している。
【００２２】
洗浄槽２２にはストッパー部３７を設けており、下支持部材２７と当接することで、扉体の開成状態を維持するよう構成している。
【００２３】
下扉体２５には押しボタンスイッチ３８と、下扉体２５を閉成状態に保持するロック手段３９を設け、押しボタンスイッチ３８と連動して、洗浄槽２２に設けた係止部４０からロック手段３９を解除できるよう構成している。上扉体２４および下扉体２５と洗浄槽２２の開口部は、弾性体により形成されたシール部材４１によりシールされている。
【００２４】
連動手段３４に設けた第１の保持部４２と、洗浄槽２２に設けた第２の保持部４３をスプリング４４（引っ張りコイルばね）で連結し、扉体の閉成状態では連動手段３４を扉体が開放する方向に弾性的に付勢し、開成状態では扉体が閉塞する方向に弾性的に付勢するよう構成している。このスプリング４４により扉体の自動開放機構を構成している。
【００２５】
上記構成において作用を説明する。押しボタンスイッチ３８を作動することで、ロック手段３９を解除し、スプリング４４により開放側に付勢された連動手段により、上支持部材２６と下支持部材２７はそれぞれ上固定枢軸２８と下固定枢軸２９を中心に回動することで、上扉体２４と下扉体２５は、図１に示す閉成状態から、図２に示すように、上扉体２４が食器洗い機本体２１の上方に回動する開成状態まで自動的に開放することができる。上扉体２４が上方に回動することで、上扉体２４の前方への出代をなくすことができ、洗浄槽２２の前面開口部の間口を広くとれ、食器かご２３への食器類のセット性をよくすることができる。
【００２６】
ここで、扉体の開放初期は、上扉体２４とシール部材４１との摺動があるため、摺動抵抗のばらつきを考慮して、扉体が確実に開放するようスプリング４４の開放側への付勢力は大きめに設定しておく必要がある。
【００２７】
スプリング４４の付勢力は、扉体の開放動作の途中に連動手段３４を閉塞する方向に切り換わるよう構成されており、扉体開成時の下支持部材２７とストッパー部３７の衝撃を緩和することができる。
【００２８】
さらに、扉体の開放途中から開成にかけてリブ３３が保護部材３２と当接することで、扉体の開放速度をリブ３３と保護部材３２の摺動抵抗により減速させることができ、扉体開成時の下支持部材２７とストッパー部３７の衝撃をさらに緩和することができる。
【００２９】
リブ３３と保護部材３２を開放途中から当接させるのは、上述したように、扉体の開放初期は既に上扉体２４とシール部材４１との摺動抵抗があるため、それ以上の摺動抵抗が加わると、開放初期位置で扉体が開かない可能性があるためである。
【００３０】
また、リブ３３は扉体開放時の保護部材３２との当接開始位置から扉体閉成方向に高さが徐変されているため、保護部材３２との当接がスムーズに行われ、扉体の開閉動作がスムーズに行われる。
【００３１】
このように本実施例によれば、洗浄槽２２に設けた開口部を開閉する上扉体２４と下扉体２５を連動手段３４により連動させ、スプリング４４により連動して自動的に閉成状態から開成状態まで開放し、上支持部材２６と下支持部材２７がそれぞれ上支持部材収納口３０と下支持部材収納口３１より食器洗い機本体２１から外部に出入りするよう構成し、上支持部材２６、下支持部材２７の少なくとも１つに上扉体２４または下扉体２５の開放途中から開成にかけて上支持部材収納口３０または下支持部材収納口３１と当接するリブ３３を設けたので、スプリング４４により上扉体２４と下扉体２５を自動的に連動して開放することができ、かつ、扉体の開放速度を支持部材収納口とリブの摺動抵抗により減速させることで、扉体開成時の衝撃を緩和することができ、使用時の煩わしさを解消することができ、かつ、高品質な食器洗い機を提供することができる。
【００３２】
また、上支持部材２６に設けた上支持部材収納口３０と当接するリブ３３は、上扉体２４開放時の当接開始位置から上扉体２４閉成方向に高さを徐変するようにしたので、上支持部材２６に設けたリブ３３と上支持部材収納口３０の当接がスムーズに行われるため、扉体の開閉動作がスムーズで、さらに高品質な食器洗い機を提供することができる。
【００３３】
なお、本実施例では、上支持部材２６にリブ３３を設け、保護部材３２と当接させることで扉体の開放速度を減速させているが、上支持部材収納口３０に保護部材３２を設けず、上支持部材収納口３０とリブ３３を当接させることでも同様の効果を得ることができる。また、下支持部材２７にリブを設けても同様の効果を得ることができる。
【００３４】
【発明の効果】
以上のように本発明の請求項１に記載の発明によれば、洗浄槽に設けた開口部を開閉する複数の扉体を複数の支持部材により開閉自在に支持するとともに、複数の扉体を連動手段により連動させ、自動開放機構により複数の扉体を連動して自動的に閉成状態から開成状態まで開放し、複数の支持部材が支持部材収納口より食器洗い機本体から外部に出入りするよう構成し、支持部材の少なくとも１つに扉体の開放途中から開成にかけて支持部材収納口と当接するリブを設けたから、自動開放機構により複数の扉体を自動的に連動して開放し、かつ、扉体の開放速度を支持部材収納口とリブの摺動抵抗により減速させることで、扉体開成時の衝撃を緩和することができ、使用時の煩わしさを解消することができ、かつ、高品質な食器洗い機を提供することができる。
【図面の簡単な説明】
【図１】本発明の一実施例の食器洗い機の扉体閉成状態の断面図
【図２】同食器洗い機の扉体開成状態の断面図
【図３】同食器洗い機のＡ−Ａ線断面図
【図４】同食器洗い機のＢ方向矢視図
【図５】従来の食器洗い機の一例の扉体開成状態の断面図
【図６】従来の食器洗い機の他の例の扉体開成状態の一部切欠した側面図
【図７】従来の食器洗い機の他の例の扉体閉成状態の断面図
【符号の説明】
２１  食器洗い機本体
２２  洗浄槽
２４  上扉体（扉体）
２５  下扉体（扉体）
２６  上支持部材（支持部材）
２７  下支持部材（支持部材）
３０  上支持部材収納口（支持部材収納口）
３１    下支持部材収納口（支持部材収納口）
３３    リブ
３４  連動手段
４４  スプリング（自動開放機構）
【図１】
2004275369.tif 000003
【図２】
2004275369.tif 000004
【図３】
2004275369.tif 000005
【図４】
2004275369.tif 000006
【図５】
2004275369.tif 000007
【図６】
2004275369.tif 000008
【図７】
2004275369.tif 000009